(57)【要約】【課題】インピーダンスの調整を好適に行うことが可能なフィルタデバイスを提供する。【解決手段】前段フィルタデバイス１３は、共通端子２３と、複数の前段フィルタ１９とを有している。複数の前段フィルタ１９は、共通端子２３に接続され、共通端子２３から見て互いに分岐しており、互いに異なる複数の通過帯域Ｂ１〜Ｂ４に対応している。共通端子２３から複数の前段フィルタ１９側を見たインピーダンスは、通過帯域Ｂ４における値と通過帯域Ｂ１における値とが異なっている。【選択図】図１
2019030009.tif 000002
【特許請求の範囲】
【請求項１】
第１共通端子と、
前記第１共通端子に接続され、前記第１共通端子から見て互いに分岐しており、互いに異なる複数の通過帯域に対応している複数のフィルタと、
を有しており、
前記複数の通過帯域は、第１通過帯域および第２通過帯域を含み、
前記第１共通端子から前記複数のフィルタ側を見たインピーダンスは、前記第１通過帯域における第１の値と前記第２通過帯域における第２の値とが異なっている
フィルタデバイス。
【請求項２】
前記第１通過帯域は、前記複数の通過帯域のうち最も周波数が高い通過帯域であり、
前記第１の値の絶対値は、前記第２の値の絶対値よりも小さい、または大きい
請求項１に記載のフィルタデバイス。
【請求項３】
前記第１の値と前記第２の値とは、反射係数平面で０．３以上離れている
請求項１または２に記載のフィルタデバイス。
【請求項４】
前記複数のフィルタそれぞれは、圧電基板と、当該圧電基板上に位置する励振電極とを有している弾性波フィルタを含んでいる
請求項１〜３のいずれか１項に記載のフィルタデバイス。
【請求項５】
前記複数のフィルタは、前記圧電基板を共有しているとともに、それぞれの前記励振電極を有している
請求項４に記載のフィルタデバイス。
【請求項６】
前記第１通過帯域は、前記第２通過帯域よりも周波数が高く、
前記複数のフィルタにおいて、前記第１通過帯域に対応するフィルタは、前記第２通過帯域に対応するフィルタよりも前記励振電極の膜厚が薄い
請求項４または５に記載のフィルタデバイス。
【請求項７】
前記複数のフィルタに対して前記第１共通端子とは反対側に接続されている第２共通端子をさらに有している
請求項１〜６のいずれか１項に記載のフィルタデバイス。
【請求項８】
前記第１通過帯域および前記第２通過帯域の少なくとも一方は、比帯域幅が５％以上である
請求項１〜７のいずれか１項に記載のフィルタデバイス。
【請求項９】
前記第１通過帯域および前記第２通過帯域の前記一方は、比帯域幅が１０％以上である
請求項８に記載のフィルタデバイス。
【請求項１０】
前段増幅器と、
前記前段増幅器の出力端子に接続されている前段フィルタデバイスと、
を有しており、
前記前段フィルタデバイスは、前記出力端子に接続され、前記出力端子から見て分岐しており、互いに異なる複数の通過帯域に対応している複数の前段フィルタを有しており、
前記複数の通過帯域は、第１通過帯域および第２通過帯域を含み、
前記出力端子から前記前段フィルタデバイス側を見たインピーダンスは、前記第１通過帯域における第１の値と前記第２通過帯域における第２の値とが異なっている
受信モジュール。
【請求項１１】
前記出力端子に接続されている整合回路をさらに有している
請求項１０に記載の受信モジュール。
【請求項１２】
前記整合回路は、前記出力端子と基準電位部との間に互いに並列に接続されているインダクタおよびキャパシタを有している
請求項１１に記載の受信モジュール。
【請求項１３】
前記第１通過帯域および前記第２通過帯域の少なくとも一方は、比帯域幅が５％以上であり、
前記複数の前段フィルタのうち、前記第１通過帯域および前記第２通過帯域の前記一方に対応しているフィルタは、ラダー型に接続されている複数の共振子を有しており、
前記複数の共振子の少なくとも１つにインダクタが並列接続されている
請求項１０〜１２のいずれか１項に記載の受信モジュール。
【請求項１４】
前記複数の共振子同士の接続関係に対して電気的に対称な位置に複数の前記インダクタを有しており、
電気的に互いに対称な位置の前記インダクタ同士は互いに同等のインダクタンスを有している
請求項１３に記載の受信モジュール。
【請求項１５】
前記複数の前段フィルタに対してその出力側に入力端子が接続されている後段増幅器をさらに有している
請求項１０〜１４のいずれか１項に記載の受信モジュール。
【請求項１６】
前記前段フィルタデバイスの出力側に入力端子が接続されている複数の後段増幅器をさらに有しており、
前記複数の後段増幅器は、
前記複数の前段フィルタのうちの前記第１通過帯域に対応するフィルタに接続されている第１後段増幅器と、
前記複数の前段フィルタのうちの前記第２通過帯域に対応するフィルタに接続されている第２後段増幅器と、を有している
請求項１０〜１４のいずれか１項に記載の受信モジュール。
【請求項１７】
前記複数の通過帯域は、第３通過帯域をさらに含み、
前記前段増幅器の前記出力端子から前記前段フィルタデバイス側を見たインピーダンスは、前記第２の値と前記第３通過帯域における第３の値との反射係数平面における距離が、前記第１の値と前記第２の値との反射係数平面における距離および前記第１の値と前記第３の値との反射係数平面における距離それぞれよりも小さく、
前記第２後段増幅器の入力端子は、前記複数の前段フィルタのうちの前記第３通過帯域に対応するフィルタにも接続されている
請求項１６に記載の受信モジュール。
【請求項１８】
前記複数の後段増幅器の出力端子に接続されている、前記複数の通過帯域に対応する複数の後段フィルタを有しており、
前記複数の後段フィルタのうち前記第１通過帯域に対応するフィルタは、前記第１後段増幅器の出力端子に接続されており、
前記複数の後段フィルタのうち、前記第２通過帯域に対応するフィルタおよび前記第３通過帯域に対応するフィルタは、それぞれ前記第２後段増幅器の出力端子に接続されている
請求項１７に記載の受信モジュール。
【請求項１９】
アンテナと、
前記アンテナに入力側が接続されている、請求項１０〜１８のいずれか１項に記載の受信モジュールと、
を有しているアンテナモジュール。
【請求項２０】
前記アンテナは、当該アンテナの出力側から見た電圧定在波比が３．０以下となる周波数帯を複数有しており、
前記第１通過帯域および前記第２通過帯域の少なくとも一方は、前記複数の周波数帯の２つ以上に重複する帯域幅を有している
請求項１９に記載のアンテナモジュール。
【請求項２１】
アンテナと、
前記アンテナに前記前段増幅器の入力端子が接続されている、請求項１０〜１８のいずれか１項に記載の受信モジュールと、
前記受信モジュールの出力側に接続されているＩＣと、
を有している受信装置。
【発明の詳細な説明】
【技術分野】
【０００１】
本開示は、電気信号をフィルタリングする機能を有するフィルタデバイス、受信モジュールおよび受信装置に関する。
【背景技術】
【０００２】
それぞれ共通端子に接続されている、互いに通過帯域が異なる複数のフィルタを有しているフィルタデバイスが知られている（例えば特許文献１）。特許文献１では、複数のフィルタの後段（共通端子とは反対側）に、インピーダンス整合のための整合回路、および信号を増幅するための増幅器を順に接続した構成が開示されている。
【先行技術文献】
【特許文献】
【０００３】
【特許文献１】特開２０１２−２４４６１５号公報
【発明の概要】
【発明が解決しようとする課題】
【０００４】
インピーダンスの調整を好適に行うことが可能なフィルタデバイス、受信モジュールおよび受信装置が提供されることが望まれる。
【課題を解決するための手段】
【０００５】
本開示の一態様に係るフィルタデバイスは、第１共通端子と、前記第１共通端子に接続され、前記第１共通端子から見て互いに分岐しており、互いに異なる複数の通過帯域に対応している複数のフィルタと、を有しており、前記複数の通過帯域は、第１通過帯域および第２通過帯域を含み、前記第１共通端子から前記複数のフィルタ側を見たインピーダンスは、前記第１通過帯域における第１の値と前記第２通過帯域における第２の値とが異なっている。
【０００６】
一例において、前記第１通過帯域は、前記複数の通過帯域のうち最も周波数が高い通過帯域であり、前記第１の値の絶対値は、前記第２の値の絶対値よりも小さい、または大きい。
【０００７】
一例において、前記第１の値と前記第２の値とは、反射係数平面で０．３以上離れている。
【０００８】
一例において、前記複数のフィルタそれぞれは、圧電基板と、当該圧電基板上に位置する励振電極とを有している弾性波フィルタを含んでいる。
【０００９】
一例において、前記複数のフィルタは、前記圧電基板を共有しているとともに、それぞれの前記励振電極を有している。
【００１０】
一例において、前記第１通過帯域は、前記第２通過帯域よりも周波数が高く、前記複数のフィルタにおいて、前記第１通過帯域に対応するフィルタは、前記第２通過帯域に対応するフィルタよりも前記励振電極の膜厚が薄い。
【００１１】
一例において、前記フィルタデバイスは、前記複数のフィルタに対して前記第１共通端子とは反対側に接続されている第２共通端子をさらに有している。
【００１２】
一例において、前記第１通過帯域および前記第２通過帯域の少なくとも一方は、比帯域幅が５％以上である。
【００１３】
一例において、前記第１通過帯域および前記第２通過帯域の前記一方は、比帯域幅が１０％以上である。
【００１４】
本開示に係る受信モジュールは、前段増幅器と、前記前段増幅器の出力端子に接続されている前段フィルタデバイスと、を有しており、前記前段フィルタデバイスは、前記出力端子に接続され、前記出力端子から見て分岐しており、互いに異なる複数の通過帯域に対応している複数の前段フィルタを有しており、前記複数の通過帯域は、第１通過帯域および第２通過帯域を含み、前記出力端子から前記前段フィルタデバイス側を見たインピーダンスは、前記第１通過帯域における第１の値と前記第２通過帯域における第２の値とが異なっている。
【００１５】
一例において、前記受信モジュールは、前記出力端子に接続されている整合回路をさらに有している。
【００１６】
一例において、前記整合回路は、前記出力端子と基準電位部との間に互いに並列に接続されているインダクタおよびキャパシタを有している。
【００１７】
一例において、前記第１通過帯域および前記第２通過帯域の少なくとも一方は、比帯域幅が５％以上であり、前記複数の前段フィルタのうち、前記第１通過帯域および前記第２通過帯域の前記一方に対応しているフィルタは、ラダー型に接続されている複数の共振子を有しており、前記複数の共振子の少なくとも１つにインダクタが並列接続されている。
【００１８】
一例において、前記受信モジュールは、前記複数の共振子同士の接続関係に対して電気的に対称な位置に複数の前記インダクタを有しており、電気的に互いに対称な位置の前記インダクタ同士は互いに同等のインダクタンスを有している。
【００１９】
一例において、前記受信モジュールは、前記複数の前段フィルタに対してその出力側に入力端子が接続されている後段増幅器をさらに有している。
【００２０】
一例において、前記受信モジュールは、前記前段フィルタデバイスの出力側に入力端子が接続されている複数の後段増幅器をさらに有しており、前記複数の後段増幅器は、前記複数の前段フィルタのうちの前記第１通過帯域に対応するフィルタに接続されている第１後段増幅器と、前記複数の前段フィルタのうちの前記第２通過帯域に対応するフィルタに接続されている第２後段増幅器と、を有している。
【００２１】
一例において、前記複数の通過帯域は、第３通過帯域をさらに含み、前記前段増幅器の前記出力端子から前記前段フィルタデバイス側を見たインピーダンスは、前記第２の値と前記第３通過帯域における第３の値との反射係数平面における距離が、前記第１の値と前記第２の値との反射係数平面における距離および前記第１の値と前記第３の値との反射係数平面における距離それぞれよりも小さく、前記第２後段増幅器の入力端子は、前記複数の前段フィルタのうちの前記第３通過帯域に対応するフィルタにも接続されている。
【００２２】
一例において、前記受信モジュールは、前記複数の後段増幅器の出力端子に接続されている、前記複数の通過帯域に対応する複数の後段フィルタを有しており、前記複数の後段フィルタのうち前記第１通過帯域に対応するフィルタは、前記第１後段増幅器の出力端子に接続されており、前記複数の後段フィルタのうち、前記第２通過帯域に対応するフィルタおよび前記第３通過帯域に対応するフィルタは、それぞれ前記第２後段増幅器の出力端子に接続されている。
【００２３】
本開示に係るアンテナモジュールは、アンテナと、前記アンテナに入力側が接続されている、上記の受信モジュールと、を有している。
【００２４】
一例において、前記アンテナは、当該アンテナの出力側から見た電圧定在波比が３．０以下となる周波数帯を複数有しており、前記第１通過帯域および前記第２通過帯域の少なくとも一方は、前記複数の周波数帯の２つ以上に重複する帯域幅を有している。
【００２５】
一例において、前記アンテナは、当該アンテナの出力側から見た電圧定在波比が３．０以下となる周波数帯を有しており、前記第１通過帯域および前記第２通過帯域ならびに前記第３通過帯域のすべてが、前記周波数帯に包含される帯域幅を有している。
【００２６】
本開示に係る受信装置は、アンテナと、前記アンテナ端子に前記前段増幅器の入力端子が接続されている、上記受信モジュールと、前記受信モジュールの出力側に接続されているＩＣと、を有している。
【発明の効果】
【００２７】
上記の構成によれば、インピーダンスの調整を好適に行うことが可能である。
【図面の簡単な説明】
【００２８】
【図１】第１実施形態に係る受信装置の構成を示す模式図である。
【図２】図１の受信装置の前段フィルタデバイスの要部構成を示す模式図である。
【図３】図２の前段フィルタデバイスの共振子の要部構成を示す模式的な平面図である。
【図４】図２の前段フィルタデバイスの一部を示す断面図である。
【図５】図５（ａ）は、図２の前段フィルタデバイスの通過帯域およびインピーダンスの絶対値を示す図であり、図５（ｂ）は、図２の前段フィルタデバイスの通過帯域およびインピーダンスの実部を示す図である。
【図６】図２の前段フィルタデバイスのインピーダンスを反射係数平面において示すスミスチャートである。
【図７】図７（ａ）、図７（ｂ）、図７（ｃ）および図７（ｄ）は、図２の前段フィルタデバイスの作用の一例を説明するための図である。
【図８】図８（ａ）、図８（ｂ）、図８（ｃ）および図８（ｄ）は、図２の前段フィルタデバイスの作用の一例を説明するための他の図である。
【図９】第２実施形態に係る受信装置の要部構成を示す模式図である。
【図１０】第３実施形態に係る受信装置の要部構成を示す模式図である。
【図１１】図１０の受信装置の前段フィルタデバイスの要部構成を示す模式図である。
【図１２】図１１の前段フィルタデバイスの通過帯域を説明する模式図である。
【図１３】図１０の受信装置のアンテナモジュールの構成例を示す斜視図である。
【図１４】第４実施形態に係る前段フィルタデバイスの要部構成を示す模式図である。
【発明を実施するための形態】
【００２９】
以下、図面を参照して実施形態について説明する。なお、以下の説明においては、「第１前段フィルタ１９Ａ」および「第２前段フィルタ１９Ｂ」のように、同一、類似または対応する構成について、異なる大文字のアルファベットを付すことがある。また、この場合において、単に「前段フィルタ１９」のように、大文字のアルファベットを省略して両者を区別しないことがある。
【００３０】
第２実施形態以降においては、基本的に、既に説明された実施形態との相違部分のみについて説明する。特に言及がない事項については、既に説明された実施形態と同様とされてよい。第２実施形態以降において、既に説明された実施形態の構成と同一又は類似する構成について、既に説明された実施形態の構成に付された符号を付すことがある。既に説明された実施形態の構成に対応（類似）する構成に対して、既に説明された実施形態の構成に付された符号とは異なる符号を付した場合においても、特に言及のない事項については、既に説明された実施形態の構成と同様とされてよい。
【００３１】
［第１実施形態］
（受信装置の全体構成）
図１は、第１実施形態に係る受信装置１の要部構成を示す模式図である。
【００３２】
受信装置１は、例えば、電波を受信して所定の処理を実行する装置として構成されている。受信装置１は、例えば、電波の受信側から順に、アンテナ３、受信モジュール５、ＲＦ−ＩＣ（Radio Frequency Integrated Circuit）７およびＢＢ−ＩＣ（Base Band Integrated Circuit）９が接続されて構成されている。
【００３３】
アンテナ３は、受信した無線信号（電波）を電気信号に変換する。受信モジュール５は、アンテナ３からの電気信号を増幅するとともに、当該電気信号から所定の通過帯域（後述するように複数の通過帯域）の電気信号を取り出して出力する。ＲＦ−ＩＣ７は、例えば、受信モジュール５からの電気信号に対して、復調、周波数の引き下げ、及びデジタル化を行う。ＢＢ−ＩＣ９は、例えば、ＲＦ−ＩＣ７からの信号に対して種々の処理を行う。
【００３４】
受信装置１は、種々の用途に用いられてよく、その用途に応じて、搬送周波数（受信モジュール５の通過帯域の周波数）、ベースバンドの周波数およびＢＢ−ＩＣ９の処理内容等が決定されてよい。例えば、受信装置１は、ＧＰＳ（Global Positioning System）等のＧＮＳＳ（Global Navigation Satellite System）に用いられるものである。受信モジュール５の通過帯域は、例えば、ＧＮＳＳの規格に従って設定されてよく、一例として、１０００ＭＨｚ以上３０００ＭＨｚ以下である。
【００３５】
なお、この例では、受信モジュール５の出力側にＲＦ−ＩＣ７とＢＢ−ＩＣ９とが接続された場合を例に説明したが、この限りではない。例えば、ＲＦ−ＩＣ７とＢＢ−ＩＣ９とが一体化されたＩＣを用いてもよい。
【００３６】
（受信モジュールの構成）
受信モジュール５は、例えば、アンテナ３側から順に、前段増幅器１１、前段フィルタデバイス１３、後段増幅器１５Ａおよび後段増幅器１５Ｂおよび後段フィルタデバイス１７を有している。
【００３７】
前段増幅器１１は、入力端子１１ａおよび出力端子１１ｂを有しており、入力端子１１ａに入力された電気信号を増幅して出力端子１１ｂから出力する。入力端子１１ａは、アンテナ３に接続されている。前段増幅器１１は、例えば、いわゆる低雑音増幅器（ＬＮＡ：Low Noise Amplifier）によって構成されてよい。ＬＮＡのＮＦ（Noise Figure）は、例えば、０．５ｄＢ以上１ｄＢ以下である。
【００３８】
なお、前段増幅器１１の構成は、種々の公知の構成と同様とされてよい。特に図示しないが、前段増幅器１１は、例えば、電源端子、入力信号の基準電位端子、出力信号の基準電位端子、制御用（例えば前段増幅器１１のＯＮ・ＯＦＦ用）端子を有している。入力端子１１ａは、図示の例では１つだが、２つであってもよい。このように増幅器の構成が公知の構成とされてよいことは、後段増幅器１５についても同様である。
【００３９】
前段フィルタデバイス１３は、前段増幅器１１の出力端子１１ｂに接続された複数（図示の例では４つ）の第１前段フィルタ１９Ａ〜第４前段フィルタ１９Ｄを有している。各前段フィルタ１９は、入力された電気信号から所定の周波数帯（通過帯域）の信号を取り出して出力する。複数の前段フィルタ１９の通過帯域は互いに異なっている。
【００４０】
後段増幅器１５は、入力端子１５ａおよび出力端子１５ｂを有しており、入力端子１５ａに入力された電気信号を増幅して出力端子１５ｂから出力する。後段増幅器１５は、例えば、前段増幅器１１と同様に、ＬＮＡによって構成されている。なお、前段増幅器１１、後段増幅器１５Ａおよび後段増幅器１５Ｂは、互いに同一の構成（同一の製品）であってもよいし、互いに異なる構成であってもよい。
【００４１】
後段増幅器１５Ａの入力端子１５ａは、第１前段フィルタ１９Ａ〜第３前段フィルタ１９Ｃの出力端子２５（図２参照）に接続されている。従って、第１前段フィルタ１９Ａ〜第３前段フィルタ１９Ｃそれぞれの通過帯域の電気信号は、１つに纏められて後段増幅器１５Ａに入力される。なお、図２では、出力端子２５は、第１前段フィルタ１９Ａ〜第３前段フィルタ１９Ｃのそれぞれに設けられているが、これら３つの前段フィルタ１９に共通して１つの出力端子２５が設けられていてもよい。一方、後段増幅器１５Ｂの入力端子１５ａは、第４前段フィルタ１９Ｄの出力端子２５のみに接続されている。
【００４２】
後段フィルタデバイス１７は、後段増幅器１５の出力端子１５ｂに接続された複数（図示の例では４つ）の第１後段フィルタ２１Ａ〜第４後段フィルタ２１Ｄを有している。各後段フィルタ２１は、入力された電気信号から所定の周波数帯（通過帯域）の信号を取り出して出力する。複数の後段フィルタ２１の通過帯域は互いに異なっている。
【００４３】
複数の後段フィルタ２１の数は、例えば、複数の前段フィルタ１９の数と同一である。また、各後段フィルタ２１の通過帯域は、符号に同一の大文字のアルファベットを付した前段フィルタ１９の通過帯域と同一である。すなわち、第１後段フィルタ２１Ａの通過帯域は、第１前段フィルタ１９Ａの通過帯域と同一である。第２後段フィルタ２１Ｂの通過帯域は、第２前段フィルタ１９Ｂの通過帯域と同一である。第３後段フィルタ２１Ｃの通過帯域は、第３前段フィルタ１９Ｃの通過帯域と同一である。第４後段フィルタ２１Ｄの通過帯域は、第４前段フィルタ１９Ｄの通過帯域と同一である。互いに同一の通過帯域の前段フィルタ１９と後段フィルタ２１とは、互いに同一の構成であってもよいし、互いに異なる構成であってもよい。
【００４４】
第１後段フィルタ２１Ａ〜第３後段フィルタ２１Ｃは、それぞれ後段増幅器１５Ａの出力端子１５ｂに接続されている。従って、第１前段フィルタ１９Ａ〜第３前段フィルタ１９Ｃそれぞれの通過帯域の電気信号は、後段増幅器１５Ａによって共に増幅された後、再度、第１後段フィルタ２１Ａ〜第３後段フィルタ２１Ｃによって、これらの通過帯域の信号に分けられる。一方、第４後段フィルタ２１Ｄは、後段増幅器１５Ｂの出力端子１５ｂに接続されている。
【００４５】
複数の後段フィルタ２１は、例えば、出力側が互いに接続されている。従って、複数の後段フィルタ２１によってフィルタリングされた複数の通過帯域の電気信号は、１つに纏められてＲＦ−ＩＣ７に入力される。
【００４６】
以上のように、受信モジュール５全体は、入力された電気信号から複数の通過帯域の信号を抽出し、これを纏めて出力する。この際、電気信号の増幅も行われる。また、信号の増幅および抽出は、受信モジュール５内において２段階で行われる。なお、前段フィルタデバイス１３は、デマルチプレクサとして捉えられてよく、後段フィルタデバイス１７または受信モジュール５（前段フィルタデバイス１３および後段フィルタデバイス１７の組み合わせ）はマルチプレクサと捉えられてよい。
【００４７】
ＲＦ−ＩＣ７および／またはＢＢ−ＩＣ９は、不図示のデマルチプレクサを含んでおり、入力された電気信号を複数の前段フィルタ１９（後段フィルタ２１）の通過帯域（ＢＢ−ＩＣ９の場合は対応する通過帯域等）の信号に分波する。そして、ＢＢ−ＩＣ９は、分波された信号を選択的に利用する処理、および／または分波された信号を併用する処理を実行する。
【００４８】
（フィルタデバイスの構成）
図２は、前段フィルタデバイス１３の要部構成を示す模式図である。
【００４９】
前段フィルタデバイス１３は、既述の複数の前段フィルタ１９と、複数の前段フィルタ１９がそれぞれ接続されている共通端子２３と、複数の前段フィルタ１９毎に設けられた出力端子２５とを有している。複数の前段フィルタ１９は、共通端子２３から見て互いに分岐している。
【００５０】
なお、図示の例では、共通端子２３と複数の前段フィルタ１９との間の配線（符号省略）が分岐しているが、複数の前段フィルタ１９から延びる複数の配線が互いに独立に共通端子２３に接続されていてもよい。出力端子２５は、既述のように一部が共用されてもよく、また、本実施形態とは異なり、全部が共用されても構わない。
【００５１】
各前段フィルタ１９は、例えば、いわゆるラダー型共振子フィルタによって構成されている。なお、図２では、４つの前段フィルタ１９を代表して、第１前段フィルタ１９Ａおよび第２前段フィルタ１９Ｂについて、ラダー型共振子フィルタの構成を示している。
【００５２】
ラダー型共振子フィルタは、共通端子２３と出力端子２５との間に直列に接続された複数（１つでも可）の直列共振子２７Ｓと、その直列のライン（直列腕）と基準電位とを接続する複数（１つでも可）の並列共振子２７Ｐ（並列腕）とを有している（以下、単に共振子２７といい、両者を区別しないことがある。）。換言すれば、前段フィルタ１９は、ラダー型に接続された複数の共振子２７を有している。
【００５３】
複数の直列共振子２７Ｓは、基本的に、共振周波数が互いに同等とされるとともに、反共振周波数が互いに同等とされている。複数の並列共振子２７Ｐは、基本的に、共振周波数が互いに同等とされるとともに、反共振周波数が互いに同等とされている。また、直列共振子２７Ｓの共振周波数と並列共振子２７Ｐの反共振周波数とは概ね同等とされている。これにより、並列共振子２７Ｐの共振周波数から直列共振子２７Ｓの反共振周波数までの周波数範囲よりも若干狭い範囲を通過帯域とするフィルタが構成される。
【００５４】
なお、直列共振子２７Ｓの数および並列共振子２７Ｐの数は、前段フィルタ１９毎に適宜に設定されてよい。また、最も共通端子２３側または最も出力端子２５側の共振子２７が、直列共振子２７Ｓおよび並列共振子２７Ｐのいずれであるかも、前段フィルタ１９毎に適宜に設定されてよい。
【００５５】
特に図示しないが、後段フィルタデバイス１７は、例えば、図２に示す前段フィルタデバイス１３と同様に、ラダー型共振子フィルタによって構成されてよい。ただし、後段フィルタデバイス１７の共通端子２３は、ＲＦ−ＩＣ７に接続される。また、後段フィルタデバイス１７において、前段フィルタデバイス１３の出力端子２５に相当する端子は、入力端子として機能し、後段増幅器１５の出力端子１５ｂに接続される。共振子２７の数および配置は、後段フィルタ２１毎に適宜に設定されてよい。
【００５６】
（共振子の構成）
図３は、共振子２７の要部構成を示す模式的な平面図である。
【００５７】
なお、共振子２７は、いずれの方向が上方または下方とされてもよいが、以下では、便宜的に、Ｄ１軸、Ｄ２軸およびＤ３軸からなる直交座標系を定義するとともに、Ｄ３軸の正側を上方として、上面、下面等の用語を用いることがある。また、平面視または平面透視という場合、特に断りがない限りは、Ｄ３軸方向に見ることをいう。なお、Ｄ１軸は、後述する圧電基板の上面に沿って伝搬するＳＡＷの伝搬方向に平行になるように定義され、Ｄ２軸は、圧電基板の上面に平行かつＤ１軸に直交するように定義され、Ｄ３軸は、圧電基板の上面に直交するように定義されている。
【００５８】
共振子２７は、例えば、弾性表面波（ＳＡＷ：Surface Acoustic Wave）を利用するＳＡＷ共振子によって構成されている。より具体的には、共振子２７は、例えば、いわゆる１ポートＳＡＷ共振子によって構成されており、紙面両側に図示された２つの配線２９の一方から電気信号が入力されると所定の周波数において共振を生じ、その共振を生じた信号を２つの配線２９の他方へ出力する。
【００５９】
共振子２７は、例えば、圧電基板３１と、圧電基板３１の上面に設けられたＩＤＴ（Inter Digital Transducer）電極３３と、ＩＤＴ電極３３の両側に位置する１対の反射器３５とを含んでいる。
【００６０】
圧電基板３１は、例えば、圧電性を有する単結晶によって構成されている。単結晶は、例えば、タンタル酸リチウム（ＬｉＴａＯ３）、ニオブ酸リチウム（ＬｉＮｂＯ３）または水晶（ＳｉＯ２）からなる。圧電基板３１のカット角、平面形状および各種寸法は適宜に設定されてよい。圧電基板３１の下面には、温度変化による共振子２７の特性変化を補償するための基板が貼り合わされていてもよい。
【００６１】
ＩＤＴ電極３３および反射器３５は、圧電基板３１上に設けられた層状導体によって構成されている。ＩＤＴ電極３３および反射器３５は、例えば、互いに同一の材料および厚さで構成されている。これらを構成する層状導体は、例えば、Ａｌ等の金属である。層状導体は、複数の金属層から構成されていてもよい。層状導体の厚さは、共振子２７に要求される電気特性等に応じて適宜に設定される。一例として、層状導体の厚さは５０ｎｍ〜６００ｎｍである。
【００６２】
ＩＤＴ電極３３は、１対の櫛歯電極３７を含んでいる。なお、視認性を良くするために、一方の櫛歯電極３７にはハッチングを付している。各櫛歯電極３７は、バスバー３９と、バスバー３９から互いに並列に延びる複数の電極指４１と、複数の電極指４１間においてバスバー３９から突出するダミー電極４３とを含んでいる。１対の櫛歯電極３７は、複数の電極指４１が互いに噛み合うように（交差するように）配置されている。
【００６３】
各電極指４１は、例えば、一定の幅でＳＡＷの伝搬方向に直交する方向（Ｄ２軸方向）に直線状に延びている。一方の櫛歯電極３７の複数の電極指４１と他方の櫛歯電極３７の複数の電極指４１とは、ＳＡＷの伝搬方向において、基本的には交互に配置されている。複数の電極指４１のピッチｐ（例えば互いに隣り合う２本の電極指４１の中心間距離）は、ＩＤＴ電極３３内において基本的に一定である。
【００６４】
なお、電極指４１の本数、長さおよび幅等は、共振子２７に要求される電気特性等に応じて適宜に設定されてよい。なお、図３は模式図であることから、電極指４１の本数は少なく示されている。ＩＤＴ電極３３は、いわゆるアポダイズが施されてもよいし、ダミー電極４３を有さないものであってもよいし、ＩＤＴ電極３３の一部に狭ピッチ部または広ピッチ部を有するものであってもよい。
【００６５】
反射器３５は、例えば、ＳＡＷの伝搬方向に直交する方向に並列に延びる複数のストリップ電極（符号省略）を有する格子状に形成されている。そのピッチは、ＩＤＴ電極３３の電極指４１のピッチと略同等である。反射器３５とＩＤＴ電極３３との間隔は、例えば、電極指４１のピッチと略同等である。各反射器３５は、例えば、電気的に浮遊状態とされてもよいし、基準電位が付与されてもよい。
【００６６】
なお、特に図示しないが、圧電基板３１の上面は、ＩＤＴ電極３３および反射器３５の上から、ＳｉＯ２またはＳｉ３Ｎ４等からなる保護膜によって覆われていてもよい。保護膜は、単にＩＤＴ電極３３等の腐食を抑制するためのものであってもよいし、温度補償に寄与するものであってもよい。また、保護膜が設けられる場合等において、ＩＤＴ電極３３および反射器３５の上面または下面には、ＳＡＷの反射係数を向上させるために、絶縁体または金属からなる付加膜が設けられてもよい。
【００６７】
ＩＤＴ電極３３によって圧電基板３１の上面に電圧が印加されることによって圧電基板３１の上面をＤ１軸方向に伝搬するＳＡＷが励振され、ピッチｐを半波長とするＳＡＷの定在波が立つ。この定在波により生じた信号は、ＩＤＴ電極３３によって取り出される。このようにして、共振子２７における共振が利用される。共振子２７の共振周波数は、定在波（ピッチｐを半波長とするＳＡＷ）の周波数と概ね同等となる。反共振周波数は、共振周波数と容量比とによって決定され、容量比は、主として圧電基板３１によって規定され、電極指４１の本数、交差幅または膜厚等によって調整される。
【００６８】
（圧電基板の共用）
図２に戻る。この図では、紙面左上の直列共振子２７Ｓにおいて符号を付しているように、１つの櫛歯電極３７を２叉のフォーク形状で模式的に示し、１つの反射器３５を屈曲部を有する直線で模式的に示している。また、圧電基板３１も模式的に示されている。
【００６９】
各前段フィルタ１９において、複数の共振子２７は、例えば、共通の圧電基板３１に設けられている。また、複数の前段フィルタ１９は、例えば、共通の圧電基板３１に設けられている。すなわち、複数の前段フィルタ１９は、圧電基板３１を共用しつつ、それぞれのＩＤＴ電極３３を有している。共通端子２３および出力端子２５は、例えば、圧電基板３１上に設けられている。
【００７０】
なお、圧電基板３１の平面視における、共通端子２３、出力端子２５および複数の共振子２７の配置は、適宜に設定されてよい。図２は、あくまで模式図であり、同図のように複数の前段フィルタ１９が１列に並んでいる必要は無いし、各前段フィルタ１９において、直列共振子２７Ｓが直線状に並んでいる必要も無いし、各前段フィルタ１９において複数の並列共振子２７Ｐが複数の直列共振子２７Ｓに対して同一側（紙面下方側）に位置している必要も無い。
【００７１】
特に図示しないが、後段フィルタデバイス１７も同様である。すなわち、各後段フィルタ２１において、複数の共振子２７は、例えば、共通の圧電基板３１に設けられている。また、複数の後段フィルタ２１は、例えば、共通の圧電基板３１に設けられている。なお、前段フィルタデバイス１３と後段フィルタデバイス１７とは、例えば、別個の圧電基板３１に設けられている。ただし、これらを共通の圧電基板３１に設けることも可能である。
【００７２】
（電極膜厚）
図４は、圧電基板３１の上面の一部を示す断面図である。この図では、第１前段フィルタ１９Ａの一部と、第４前段フィルタ１９Ｄの一部とを示している。
【００７３】
一般には、同一の圧電基板３１上に形成されるＩＤＴ電極３３および反射器３５の膜厚（以下、電極膜厚）は、複数の共振子２７間で同一である。ただし、図示のように、電極膜厚は、複数の前段フィルタ１９間で異なっていてもよい。具体的には、例えば、少なくとも１つの前段フィルタ１９の電極膜厚は、当該前段フィルタ１９よりも通過帯域の周波数が低い（別の観点ではピッチｐが大きい）他の少なくとも１つの前段フィルタ１９の電極膜厚よりも薄くされてよい。
【００７４】
後述するように、本実施形態では、第４前段フィルタ１９Ｄの通過帯域の周波数は、第１前段フィルタ１９Ａ〜第３前段フィルタ１９Ｃの通過帯域の周波数よりも高い。すなわち、第４前段フィルタ１９Ｄのピッチｐ４は、第１前段フィルタ１９Ａのピッチｐ１よりも小さい。そして、図４では、第４前段フィルタ１９Ｄの電極膜厚ｔ４は、第１前段フィルタ１９Ａの電極膜厚ｔ１よりも薄くされている。その差は、例えば、２０ｎｍ以上２００ｎｍ以下である。別の観点では、厚い電極膜厚ｔ４に対して、電極膜厚ｔ１が１．０５〜１．５０としてもよい。なお、各周波数帯に最適な電極膜厚は圧電基板材料やカット角により異なるが、例えばタンタル酸リチウム（ＬＴ）基板４２°ＹカットＸ伝搬であれば、概ね波長（ピッチの２倍）の６％〜９％で設定される。具体的には、ピッチｐ４は１．２３μｍ〜１．２９μｍであり、電極膜厚ｔ４は２００ｎｍとし、ピッチｐ１は１．５８μｍ〜１．７３μｍであり、電極膜厚ｔ１は２５０ｎｍとする。このように、通過帯域周波数の差によりピッチが異なり、電極膜厚も適切に設定されるが、ピッチと電極膜厚とを調整して、最適な組み合わせを設定することで、通過帯域が大きく異なり、本来ＬＴ基板のカット角を異ならせて作製するフィルタ１９，２１を同一基板に作製することができる。また、同一カット角の基板に複数のフィルタを作りこんでも、このように、電極膜厚を２０ｎｍ以上異ならせることで、フィルタ特性を良好に保つことができる。
【００７５】
このような電極膜厚の差は、例えば、第１前段フィルタ１９ＡのＩＤＴ電極３３と、第４前段フィルタ１９ＤのＩＤＴ電極３３とを別個のプロセスで形成したり、第１前段フィルタ１９ＡのＩＤＴ電極３３の下部と、第４前段フィルタ１９ＤのＩＤＴ電極３３とを同一のプロセスで形成し、その後に、第１前段フィルタ１９ＡのＩＤＴ電極３３の上部を形成したりすることにより実現されてよい。膜厚が互いに異なるＩＤＴ電極３３は、例えば、膜厚が異なるだけで、互いに同一の材料によって構成されている。
【００７６】
なお、第１前段フィルタ１９Ａ〜第３前段フィルタ１９Ｃの電極膜厚は、通過帯域の周波数が高いものほど電極膜厚が薄くなるように互いに異なっていてもよいし、これらのうち２つまたは３の前段フィルタ１９の電極膜厚は互いに同一とされていてもよい。また、特に図示しないが、後段フィルタデバイス１７においても、同様に、少なくとも１つの後段フィルタ２１の電極膜厚は、当該後段フィルタ２１よりも通過帯域の周波数が低い後段フィルタ２１の電極膜厚よりも薄くされてよい。
【００７７】
（フィルタデバイスの通過帯域）
図５（ａ）および図５（ｂ）は、前段フィルタデバイス１３の通過帯域およびインピーダンスを示す図である。これらの図において、横軸ｆは周波数を示している。図５（ａ）において、縦軸｜Ｚ｜はインピーダンスの絶対値を示している。図５（ｂ）において、縦軸Ｒｅ（Ｚ）はインピーダンスの実部の値を示している。
【００７８】
これらの図では、第１前段フィルタ１９Ａの通過帯域Ｂ１、第２前段フィルタ１９Ｂの通過帯域Ｂ２、第３前段フィルタ１９Ｃの通過帯域Ｂ３および第４前段フィルタ１９Ｄの通過帯域Ｂ４が示されている。図示の例では、周波数が低い順から、通過帯域Ｂ１、Ｂ２、Ｂ３、Ｂ４となっている。
【００７９】
また、図示の例では、相対的に、通過帯域Ｂ１〜Ｂ３は互いに近く、通過帯域Ｂ４は通過帯域Ｂ１〜Ｂ３から比較的離れている。一例として、通過帯域Ｂ１〜Ｂ３は、１１００ＭＨｚ以上１３００ＭＨｚ以下の範囲に収まっており、通過帯域Ｂ４は、１５００ＭＨｚ以上１６００ＭＨｚ以下の範囲に収まっている。また、例えば、通過帯域Ｂ１〜Ｂ３が収まっている周波数の幅は、これらのうち最も通過帯域Ｂ４に近いもの（図示の例では通過帯域Ｂ３）と、通過帯域Ｂ４との間の幅（周波数差）以下である。また、通過帯域Ｂ４が通過帯域Ｂ１〜Ｂ３から比較的離れているかどうかは、隣接する各バンドの間隔を比較したときに、通過帯域Ｂ４と近接するバンド（通過帯域Ｂ３）との間隔が他の隣接バンド間隔に比べ大きくなっていることで判別することができる。
【００８０】
（フィルタデバイスのインピーダンス）
図５（ａ）において、プロットＰ１〜Ｐ４は、前段フィルタデバイス１３のインピーダンスの絶対値を示している。図５（ｂ）において、プロットＰ１〜Ｐ４は、前段フィルタデバイス１３のインピーダンスの実部の値を示しており、図５（ａ）のプロットＰ１〜Ｐ４に対応している。プロットＰ１〜Ｐ４で示されているインピーダンスは、共通端子２３から複数の前段フィルタ１９側を見たインピーダンスである。別の観点では、図示のインピーダンスは、複数の前段フィルタ１９全体としてのインピーダンスである。
【００８１】
前段フィルタデバイス１３のインピーダンスは、周波数依存性を有している。ただし、一般には、前段フィルタデバイス１３のインピーダンスは、少なくとも複数の通過帯域Ｂ１〜Ｂ４における値が互いに同一になるように設定される。一方、図５（ａ）および図５（ｂ）に示すように、本実施形態では、前段フィルタデバイス１３のインピーダンスは、少なくとも１つの通過帯域における値が、他の少なくとも１つの通過帯域における値と異なっている。
【００８２】
より具体的には、インピーダンスの絶対値｜Ｚ｜に着目すると、図５（ａ）に示す通り、図示の例では、４つの通過帯域Ｂ１〜Ｂ４におけるインピーダンスの絶対値が互いに異なっている。また、最も周波数が高い通過帯域Ｂ４におけるインピーダンスの絶対値は、他の少なくとも１つの通過帯域（図示の例では他の全ての通過帯域）のインピーダンスの絶対値よりも小さい。
【００８３】
また、インピーダンスの実部Ｒｅ（Ｚ）（単位：Ω，すなわち抵抗値）を用いて評価すると、図５（ｂ）に示す通り、最も周波数が高い通過帯域Ｂ４におけるインピーダンスの実部Ｒｅ（Ｚ）は、他の少なくとも１つの通過帯域（図示の例では他の全ての通過帯域）のインピーダンスの実部Ｒｅよりも大きな値となっている。
【００８４】
なお、厳密には、インピーダンスの値は、通過帯域内においても変化する。単に通過帯域のインピーダンスという場合、特に断りがない限りは、代表値をいうものとする。代表値は、例えば、通過帯域の中央の周波数におけるインピーダンスである。
【００８５】
図６は、スミスチャートであり、前段フィルタデバイス１３のインピーダンスの値を反射係数平面において示している。
【００８６】
インピーダンスの実数部および虚数部の等価曲線に付した値は、正規化された値である。正規化された値の１は、適宜な大きさ（Ω）でよいが、例えば、５０Ωである。プロットＰ１〜Ｐ４は、図５（ａ）および図５（ｂ）のプロットＰ１〜Ｐ４に対応するものであり、前段フィルタデバイス１３のインピーダンスについて、通過帯域Ｂ１〜Ｂ４における値を示している。
【００８７】
前段フィルタデバイス１３のインピーダンスは、既述のように、少なくとも１つの通過帯域における値が、他の少なくとも１つの通過帯域における値と異なっている。なお、この図からも理解されるように、本開示においてインピーダンスの値が異なるという場合、インピーダンスの絶対値が同一であっても、位相が異なる場合を含む。なお、インピーダンスの値が異なるといっても、製造上不可避の誤差に起因する相違は無視してよい。
【００８８】
より具体的には、例えば、相対的に、通過帯域Ｂ１〜Ｂ３における値（Ｐ１〜Ｐ３）は互いに近く、通過帯域Ｂ４における値（Ｐ４）は、通過帯域Ｂ１〜Ｂ３における値から離れている。通過帯域Ｂ４における値（Ｐ４）と、通過帯域Ｂ１〜Ｂ３における値（Ｐ１〜Ｐ３）との反射係数平面における距離ｄ１は、例えば、０．３以上である。逆に、通過帯域Ｂ１〜Ｂ３の値の間の反射係数平面における距離は、例えば、０．２未満である。
【００８９】
なお、前段フィルタデバイス１３のインピーダンスは、通過帯域Ｂ１〜Ｂ４の値が互いに異なっていると述べた。しかし、図示の例では、反射係数平面において互いに近い値（Ｐ１〜Ｐ３）は、第１の水準（同一の水準）に設定されており、これよりも離れている値（Ｐ４）は、第１の水準とは異なる第２の水準に設定されていると捉えられてもよい。同一の水準は、例えば、反射係数平面におけるインピーダンスの値の距離が０．２５未満である。
【００９０】
なお、前段増幅器１１の利得が最も大きくなる周波数をｆｘとすると、各フィルタの通過帯域の周波数とｆｘとの差分をとり、その差分の大きいフィルタは小さいフィルタに比べて、反射係数平面で正規化された値（１）からの距離を離している。具体的には、通過帯域Ｂ４に近い周波数帯で利得が高くなる前段増幅器１１を用いた場合には、第１の水準と正規化された値との距離は、第２の基準と正規化された値との距離よりも大きくなっている。なお、各フィルタの通過帯域とｆｘとの比較を行なう際には、各フィルタの通過帯域の中心値で比較を行なってもよい。
【００９１】
虚数部の正負に着目すると、例えば、通過帯域Ｂ１〜Ｂ３におけるインピーダンス（Ｐ１〜Ｐ３）は、虚数部が正（すなわち誘導性）であり、通過帯域Ｂ４におけるインピーダンス（Ｐ４）は、虚数部が負（すなわち容量性）である。ただし、これらのインピーダンスは、虚数部が共に正または負であったり、上記とは正負が逆であったりしてもよい。
【００９２】
通過帯域毎のインピーダンスの値は、公知の種々の方法により設定されてよい。例えば、前段フィルタデバイス１３の適宜な位置に、適宜な大きさのインダクタンスを有するインダクタ、および／または適宜な大きさの容量を有するキャパシタを設けることにより、通過帯域毎のインピーダンスの値が調整されてよい。また、ＩＤＴ電極３３の各種の寸法等を調整することによってインピーダンスの値が調整されてもよい。
【００９３】
なお、特に図示しないが、ＲＦ−ＩＣ７（共通端子）から見た後段フィルタデバイス１７のインピーダンス、または後段増幅器１５Ａから見た第１後段フィルタ２１Ａ〜第３後段フィルタ２１Ｃ全体のインピーダンスは、通過帯域毎に異なっていてもよいし、２以上または全ての通過帯域で同等または同一水準であってもよい。
【００９４】
（インピーダンスの値の他の例）
図５（ａ）、図５（ｂ）及び図６において、プロットＰ１１〜Ｐ１４は、前段フィルタデバイス１３のインピーダンスの値の他の例を示している。この例においても、通過帯域Ｂ１〜Ｂ３におけるインピーダンスの値は互いに相対的に近く、通過帯域Ｂ４におけるインピーダンスの値は通過帯域Ｂ１〜Ｂ３におけるインピーダンスの値から比較的離れている。また、通過帯域Ｂ１〜Ｂ３におけるインピーダンスが誘導性である一方で、通過帯域Ｂ４におけるインピーダンスは容量性である。さらに、最も周波数が高い通過帯域Ｂ４におけるインピーダンスの実部の値は、他の少なくとも１つの通過帯域（図示の例では他の全ての通過帯域）のインピーダンスの実部の値よりも大きくなっている。ただし、この例では、プロットＰ１〜Ｐ４とは異なり、最も周波数が高い通過帯域Ｂ４におけるインピーダンスの絶対値は、他の少なくとも１つの通過帯域（図示の例では他の全ての通過帯域）のインピーダンスの絶対値よりも大きくなっている。
【００９５】
以上のとおり、本実施形態では、前段フィルタデバイス１３は、共通端子２３と、複数の前段フィルタ１９とを有している。複数の前段フィルタ１９は、共通端子２３に接続され、共通端子２３から見て互いに分岐しており、互いに異なる複数の通過帯域Ｂ１〜Ｂ４に対応している。共通端子２３から複数の前段フィルタ１９側を見たインピーダンスは、通過帯域Ｂ４における値と通過帯域Ｂ１（またはＢ２もしくはＢ３）における値とが異なっている。
【００９６】
別の観点では、実施形態では、受信モジュール５は、前段増幅器１１と、前段増幅器１１の出力端子１１ｂに接続されている前段フィルタデバイス１３とを有している。前段フィルタデバイス１３は、複数の前段フィルタ１９を有している。複数の前段フィルタ１９は、出力端子１１ｂに接続され、出力端子１１ｂから見て互いに分岐しており、互いに異なる複数の通過帯域Ｂ１〜Ｂ４に対応している。出力端子１１ｂから前段フィルタデバイス１３側を見たインピーダンスは、通過帯域Ｂ４における値と通過帯域Ｂ１（またはＢ２もしくはＢ３）における値とが異なっている。
【００９７】
従って、例えば、前段フィルタデバイス１３よりも前段の素子（本実施形態では前段増幅器１１）にとって好ましい後段側のインピーダンスが周波数によって異なる場合に、各通過帯域におけるインピーダンスを前段の素子にとって好ましい値にすることができる。
【００９８】
図７（ａ）〜図７（ｄ）および図８（ａ）〜図８（ｄ）は、上記のような作用を説明するための図である。
【００９９】
これらの図は、スミスチャートをベースとしており、プロットＰ１〜Ｐ４は、図６と同様に、前段フィルタデバイス１３のインピーダンスの、通過帯域Ｂ１〜Ｂ４それぞれにおける値を示している。
【０１００】
また、図７（ａ）〜図７（ｄ）において、スミスチャート内の等高線図は、反射係数平面内の位置の変化に対する前段増幅器１１の利得（Ｇａｉｎ）の変化を示している。これらの図において、前段増幅器１１の後段（ここでは前段フィルタデバイス１３）のインピーダンスの値が矢印に沿って変化するほど、利得の値が大きくなる（利得が大きくなる。）。一方、図８（ａ）〜図８（ｄ）において、スミスチャート内の等高線図は、反射係数平面内の位置の変化に対する前段増幅器１１のＮＦの変化を示している。これらの図において、前段増幅器１１の後段（ここでは前段フィルタデバイス１３）のインピーダンスの値が矢印に沿って変化するほど、ＮＦの値が大きくなる（ノイズが大きくなる。）。
【０１０１】
図７（ａ）および図８（ａ）の等高線図は、通過帯域Ｂ１における利得およびＮＦを示している。図７（ｂ）および図８（ｂ）の等高線図は、通過帯域Ｂ２における利得およびＮＦを示している。図７（ｃ）および図８（ｃ）の等高線図は、通過帯域Ｂ３における利得およびＮＦを示している。図７（ｄ）および図８（ｄ）の等高線図は、通過帯域Ｂ４における利得およびＮＦを示している。
【０１０２】
これらの図に示すように、周波数によって、前段増幅器１１の後段のインピーダンスと前段増幅器１１の特性との関係は変化する。そして、前段フィルタデバイス１３のインピーダンスは、通過帯域Ｂ１〜Ｂ４間において互いに異なる値（Ｐ１〜Ｐ４）に設定されることによって、いずれの通過帯域においても、利得が相対的に高くなるとともにＮＦが相対的に小さくなる値となっている。
【０１０３】
別の観点では、本実施形態に係る前段フィルタデバイス１３を設計する際には、インピーダンスの変化に対する前段増幅器１１の特性の変化を通過帯域毎に調べ、各通過帯域において好適な特性が得られるようにインピーダンスを設定すればよい。前段フィルタデバイス１３自体のインピーダンスが調整されることから、例えば、整合回路を単純化したり、または整合回路を無くしたりして、挿入損失を低減することができる。
【０１０４】
また、本実施形態において、通過帯域Ｂ４は、複数（２以上または３以上）の通過帯域Ｂ１〜Ｂ４のうち最も周波数が高い通過帯域である。前段フィルタデバイス１３のインピーダンスは、通過帯域Ｂ４における絶対値が、他のいずれかの通過帯域（Ｂ１〜Ｂ３）における絶対値よりも小さい、または大きい。
【０１０５】
最も周波数が高い通過帯域は、前段フィルタデバイス１３よりも前段の素子にとって、特性が良好になるインピーダンスが最も小さく、または大きくなりやすいと考えられる。実際、本願発明者の実験ではそのような傾向が現れており、図５〜図８のプロットも実験結果に基づいている。従って、最も高い通過帯域Ｂ４におけるインピーダンスの絶対値を他の通過帯域におけるインピーダンスの絶対値よりも小さく、または大きくすることによって、前段フィルタデバイス１３の全体として、インピーダンスが好適に設定される。
【０１０６】
本実施形態では、前段フィルタデバイス１３のインピーダンスは、通過帯域Ｂ４における値と、他のいずれかの通過帯域（Ｂ１〜Ｂ３）における値とは、反射係数平面で０．３以上離れている。
【０１０７】
従って、通過帯域毎のインピーダンスの値を異ならせた効果がより確実に奏される。なお、通常、高周波デバイスは、入出力に関するＶＳＷＲ（Voltage Standing Wave Ratio）が所定値以下となるように設計される。一般に、ＶＳＷＲは、１．８以下であれば概ね良く、１．５以下であると良好とされている。１．５のＶＳＷＲは、正規化された反射係数平面において１の値との距離が０．２未満である。
【０１０８】
本実施形態では、複数の前段フィルタ１９それぞれは、弾性波フィルタを含んでいる。弾性波フィルタは、圧電基板３１と、圧電基板３１上に位置する励振電極としてのＩＤＴ電極３３とを有している。
【０１０９】
従って、例えば、ＩＤＴ電極３３の電極指４１の本数、長さおよび／または膜厚等を適宜に調整したり、ＩＤＴ電極３３とともに圧電基板３１上にインダクタおよび／またはキャパシタとなる導体パターンを設けたりすることによって、簡便にインピーダンスを調整することができる。
【０１１０】
本実施形態では、複数の前段フィルタ１９は、圧電基板３１を共有しているとともに、それぞれのＩＤＴ電極３３を有している。
【０１１１】
本実施形態とは異なり、複数の前段フィルタ１９が別個のチップとされている場合（このような態様も本開示に係る技術に含まれる。）、複数のチップが実装される実装基板が前段フィルタデバイス１３のインピーダンスに影響を及ぼすおそれがある。しかし、上記のように圧電基板３１の共用によって１個のチップにすることにより、そのようなおそれが低減される。すなわち、設計したインピーダンスの値を実現することが容易である。
【０１１２】
本実施形態では、通過帯域Ｂ４は、通過帯域Ｂ１（またはＢ２もしくはＢ３）よりも周波数が高い。通過帯域Ｂ４に対応する第４前段フィルタ１９Ｄは、通過帯域Ｂ１に対応する第１前段フィルタ１９ＡよりもＩＤＴ電極３３の膜厚が薄い。
【０１１３】
ＩＤＴ電極３３では、その膜厚が薄いほど、高い周波数における損失が少なくなる傾向がある。従って、前段フィルタデバイス１３内の複数のＩＤＴ電極３３の膜厚を複数の前段フィルタ１９の通過帯域に応じて異ならせることによって、損失を少なくすることができる。
【０１１４】
本実施形態では、受信モジュール５は、複数の前段フィルタ１９の出力側に入力端子１５ａが接続されている複数の後段増幅器１５をさらに有している。複数の後段増幅器１５は、通過帯域Ｂ４に対応する第４前段フィルタ１９Ｄに接続されている後段増幅器１５Ｂと、通過帯域Ｂ１に対応する第１前段フィルタ１９Ａに接続されている後段増幅器１５Ａと、を有している。
【０１１５】
従って、例えば、設計が容易化される。具体的には、以下のとおりである。まず、後段増幅器１５が設けられることにより、前段増幅器１１から見て、インピーダンスに関して後段増幅器１５以降は実質的に見えなくなる。これにより、設計が容易化される。また、後段増幅器１５の特性は、後段増幅器１５から前段を見たインピーダンスの影響が周波数によって変化する。従って、後段増幅器１５から見ても、前段フィルタデバイス１３のインピーダンスは、通過帯域毎に適宜に設定されていることが好ましい。そして、第１前段フィルタ１９Ａと第４前段フィルタ１９Ｄとで別個の後段増幅器１５が接続されることにより、後段増幅器１５から前段フィルタ１９を見たインピーダンスについては、前段増幅器１１から前段フィルタ１９を見たインピーダンスとは異なり、前段フィルタ１９毎にインピーダンスを調整することができる。ひいては、設計が容易化される。
【０１１６】
本実施形態では、複数の通過帯域は、通過帯域Ｂ４およびＢ１の他、通過帯域Ｂ２（またはＢ３）を含む。前段増幅器１１の出力端子１１ｂから前段フィルタデバイス１３側を見たインピーダンスは、通過帯域Ｂ１における値と通過帯域Ｂ２における値との反射係数平面における距離が、通過帯域Ｂ４における値と通過帯域Ｂ１における値との反射係数平面における距離および通過帯域Ｂ４における値と通過帯域Ｂ２における値との反射係数平面における距離それぞれよりも小さい。後段増幅器１５Ａは、第１前段フィルタ１９Ａだけでなく、通過帯域Ｂ２に対応する第２前段フィルタ１９Ｂにも接続されている。
【０１１７】
従って、例えば、後段増幅器１５の数を減らし、小型化、電力削減および／またはコスト削減を図ることができる。上記のように、複数の前段フィルタ１９に対して別個の後段増幅器１５を接続することにより、設計が容易化される。しかし、前段増幅器１１から見てインピーダンスの値が互いに近い通過帯域に対応する前段フィルタ１９同士については、共通の後段増幅器１５に接続しても、インピーダンスの調整は軽微で済む。
【０１１８】
本実施形態では、受信モジュール５は、複数の後段増幅器１５の出力端子１５ｂに接続されている、複数の通過帯域Ｂ１〜Ｂ４に対応する複数の後段フィルタ２１を有している。通過帯域Ｂ４を通過帯域とする第４後段フィルタ２１Ｄは、後段増幅器１５Ｂの出力端子１５ｂに接続されている。通過帯域Ｂ１を通過帯域とする第１後段フィルタ２１Ａおよび通過帯域Ｂ２を通過帯域とする第２後段フィルタ２１Ｂは、それぞれ後段増幅器１５Ａの出力端子１５ｂに接続されている。
【０１１９】
すなわち、複数の前段フィルタ１９と後段増幅器１５の入力端子１５ａとの接続に関して纏められた通過帯域は、後段増幅器１５の出力端子１５ｂと複数の後段フィルタ２１との接続に関しても纏められている。このような構成により、後段増幅器１５の数を減らしつつ、インピーダンスの整合の設計を容易化し、かつ前段フィルタ１９および後段フィルタ２１による２重のフィルタリングによって高精度に通過帯域の信号を取り出すことができる。
【０１２０】
なお、以上の実施形態において、通過帯域Ｂ４は、第１通過帯域の一例であり、通過帯域Ｂ１〜Ｂ３それぞれは、第２通過帯域の一例または第３通過帯域の一例である。後段増幅器１５Ｂは、第１後段増幅器の一例であり、後段増幅器１５Ａは、第２後段増幅器の一例である。
【０１２１】
［第２実施形態］
図９は、第２実施形態に係る受信装置２０１の要部構成を示す、図１と同様の模式図である。
【０１２２】
受信装置２０１の受信モジュール５は、前段増幅器１１と前段フィルタデバイス１３との間に整合回路２５１を有している点のみが実施形態と相違する。整合回路２５１は、例えば、インダクタ２５３およびキャパシタ２５５を含んでいる。
【０１２３】
このように受信装置２０１または受信モジュール５は、適宜な位置に整合回路２５１を有していてもよい。整合回路２５１は、図示の位置に加えて、または代えて、種々の位置に配置されてよく、また、整合回路２５１の構成も適宜に変更されてよい。
【０１２４】
このような構成においても、前段増幅器１１の出力端子１１ｂから前段フィルタデバイス１３側を見たインピーダンスが、通過帯域Ｂ４における値と通過帯域Ｂ１（またはＢ２もしくはＢ３）における値とで異なっていることにより、例えば、インピーダンスの整合が好適になされる。なお、整合回路２５１および前段フィルタデバイス１３全体をフィルタデバイスと捉え、出力端子１１ｂに接続される整合回路２５１よりも前段の不図示の端子が共通端子とみなされてもよい。
【０１２５】
［第３実施形態］
図１０は、第３実施形態に係る受信装置３０１の要部構成を示す、図１と同様の模式図である。
【０１２６】
受信装置３０１において、第１実施形態の受信装置１との相違点としては、例えば、後段増幅器１５が１つとされている点、整合回路（３５１、３５３および３５５）が設けられている点、複数のフィルタの一部が統合されて１つのフィルタとされている（例えば第１実施形態の１９Ａ〜１９Ｃが３１９にされている）点、アンテナ３に代えて多周波アンテナ３０３（単に「アンテナ３０３」ということがある。）が用いられている点が挙げられる。具体的には、以下のとおりである。
【０１２７】
（後段増幅器）
後段増幅器１５は、その入力端子１５ａが前段フィルタデバイス３１３の出力端子３２５（図１１参照）に接続されている。これにより、後段増幅器１５は、前段フィルタデバイス３１３の全ての前段フィルタ（３１９及び１９Ｄ）に接続されている。なお、後述するように、前段フィルタデバイス３１３は、例えば、４つの通過帯域Ｂ１〜Ｂ４の信号を通過させる。
【０１２８】
また、後段増幅器１５は、その出力端子１５ｂが後段整合回路３５３を介して後段フィルタデバイス３１７の入力端子（不図示。前段フィルタデバイス３１３の入力端子３２３（図１１）を参照）に接続されている。これにより、後段増幅器１５は、後段フィルタデバイス３１７の全ての後段フィルタ（３２１及び２１Ｄ）に接続されている。なお、後述するように、後段フィルタデバイス３１７は、例えば、４つの通過帯域Ｂ１〜Ｂ４の信号を通過させる。
【０１２９】
なお、本実施形態では、後段増幅器１５が１つであることから、前段増幅器１１から前段フィルタデバイス３１３までの構成と、後段増幅器１５から後段フィルタデバイス３１７までの構成とが同様の構成となっている。両者は、後述する各種の電子素子（例えばインダクタおよびキャパシタ）の接続関係およびインピーダンス（インダクタンスおよびキャパシタンス）も含めて、互いに同一の構成とされてもよい。
【０１３０】
（整合回路）
第１実施形態の説明では、インダクタおよび／またはキャパシタを設けることによって通過帯域毎のインピーダンスの値が調整されてよいことについて述べた。また、第２実施形態では、整合回路の一例を示した。第３実施形態に係る受信装置３０１は、通過帯域毎のインピーダンスの値の調整（図５（ａ）〜図８（ｄ）を参照して説明したインピーダンスの実現）を容易化できる整合回路を有している。具体的には、以下のとおりである。
【０１３１】
受信装置３０１（別の観点ではアンテナモジュール３０２または受信モジュール３０５）は、例えば、前段増幅器１１と前段フィルタデバイス３１３との間に位置している前段整合回路３５１と、後段増幅器１５と後段フィルタデバイス３１７との間に位置している後段整合回路３５３と、後段フィルタデバイス３１７と受信モジュール３０５の不図示の出力端子との間に位置している出力側整合回路３５５とを有している。
【０１３２】
前段整合回路３５１は、前段増幅器１１の出力端子１１ｂ（別の観点では前段フィルタデバイス３１３の入力端子３２３）と、基準電位部１０１との間で互いに並列に接続されているインダクタ３５７およびキャパシタ３５９を有している。このような前段整合回路３５１を設けることによって、出力端子１１ｂから前段フィルタデバイス３１３側を見たインピーダンスを通過帯域同士で異ならせるように調整することが容易化される。その具体的な作用は以下のとおりである。
【０１３３】
まず、インダクタ３５７のサセプタンスは、インダクタ３５７において損失が無いと仮定すると、−１／ωＬで表される。ここで、Ｌはインダクタ３５７のインダクタンスである。ωは交流電力（信号）の角速度であり、周波数をｆとしたときにω＝２πｆである。また、キャパシタ３５９のサセプタンスは、キャパシタ３５９において損失が無いと仮定すると、ωＣで表される。ここで、Ｃはキャパシタ３５９のキャパシタンスである。そして、前段整合回路３５１のサセプタンスは、キャパシタ３５９のサセプタンスとキャパシタ３５９のサセプタンスの和であるωＣ−１／ωＬである。
【０１３４】
従って、前段整合回路３５１のサセプタンスは、周波数ｆに対して変化し、かつインダクタ３５７のサセプタンスおよびキャパシタ３５９のサセプタンスそれぞれに比較して、周波数ｆに対する変化率が大きい。その結果、出力端子１１ｂから前段フィルタデバイス３１３側を見たインピーダンスを周波数ｆの変化に対して相対的に大きく変化させることができる。なお、前段整合回路３５１および前段フィルタデバイス３１３全体をフィルタデバイスと捉え、出力端子１１ｂに接続される前段整合回路３５１よりも前段の不図示の端子が共通端子とみなされてもよいことは、第２実施形態と同様である。
【０１３５】
後段整合回路３５３も、前段整合回路３５１と同様の構成である。すなわち、後段整合回路３５３は、後段増幅器１５の出力端子１５ｂ（別の観点では後段フィルタデバイス３１７の入力端子（不図示））と、基準電位部１０１との間で互いに並列に接続されているインダクタ３６１およびキャパシタ３６３を有している。その作用も前段整合回路３５１と同様である。
【０１３６】
出力側整合回路３５５は、例えば、後段フィルタデバイス３１７の不図示の出力端子（前段フィルタデバイス３１３の出力端子３２５（図１１）を参照）と、基準電位部１０１とを接続しているインダクタ３６５を有している。この出力側整合回路３５５は、例えば、後段増幅器１５の出力端子１５ｂから後段フィルタデバイス３１７側を見たインピーダンス、および／または受信モジュール３０５（アンテナモジュール３０２）の出力端子３０２ｓ（図１３。別の観点ではＲＦ−ＩＣ７）から後段フィルタデバイス３１７側を見たインピーダンスの調整に寄与している。
【０１３７】
なお、第１実施形態の説明においては、ＲＦ−ＩＣ７から後段フィルタデバイス１７側を見たインピーダンスは、通過帯域毎に異なっていてもよいし、２以上または全ての通過帯域で同等または同一水準であってもよいことを述べた。このことは、本実施形態においても同様であり、例えば、ＲＦ−ＩＣ７から後段フィルタデバイス３１７側を見たインピーダンスは、全ての通過帯域で同一である。
【０１３８】
（フィルタの統合）
前段フィルタデバイス３１３は、通過帯域Ｂ１〜Ｂ３に対応するフィルタとして、第１実施形態の第１前段フィルタ１９Ａ〜第３前段フィルタ１９Ｃに代えて、前段広帯域フィルタ３１９を有している。同様に、後段フィルタデバイス３１７は、通過帯域Ｂ１〜Ｂ３に対応するフィルタとして、第１実施形態の第１後段フィルタ２１Ａ〜第３後段フィルタ２１Ｃに代えて、後段広帯域フィルタ３２１を有している。
【０１３９】
図１１は、前段フィルタデバイス３１３の構成を示す模式図である。
【０１４０】
前段広帯域フィルタ３１９は、例えば、前段フィルタ１９と同様に、ラダー型共振子フィルタによって構成されている。前段広帯域フィルタ３１９の構成は、基本的には、通過帯域Ｂ１〜Ｂ３を包含する通過帯域Ｂ１１（図１２）の信号を通過させることが可能に広帯域化されていることを除いて、前段フィルタ１９と同様でよい。前段広帯域フィルタ３１９を広帯域化する方法としては、種々の方法が用いられてよい。例えば、ＩＤＴ電極３３の静電容量を小さくすることによって広帯域化が図られてよい。
【０１４１】
また、図示の例では、上記のような共振子２７自体の構成の調整による広帯域化に加えて、または代えて、共振子２７に対して並列接続されるインダクタ３６７Ａ〜３６７Ｅ（以下、Ａ〜Ｅを省略することがある。）を設けることによって広帯域化が図られている。インダクタ３６７は、図示の例のように、複数の共振子２７のうち一部（１つでもよい。）に対して設けられていてもよいし、図示の例とは異なり、全ての共振子２７に対して設けられていてもよい。前者の場合の一部の共振子２７は、適宜に選択されてよい。また、インダクタ３６７は、図示の例のように、１つの共振子２７に対して１つのインダクタ３６７が並列接続されていてもよいし、図示とは異なり、２以上の共振子２７に対して１つのインダクタ３６７が並列接続されていてもよい。
【０１４２】
図１１では、複数のインダクタ３６７は、対称的に設けられている。具体的には、以下のとおりである。
【０１４３】
前段広帯域フィルタ３１９においては、電気的な接続関係に関して、複数の共振子２７を基準に任意の位置を特定することができる。例えば、入力端子３２３（第１実施形態の共通端子２３に相当）または出力端子３２５（第１実施形態の出力端子２５に相当）から任意の位置までに介在する共振子２７の数によって、当該任意の位置を特定することができる。一例を挙げると、インダクタ３６７Ａの両端の接続位置は、入力端子３２３との間に１つの直列共振子２７Ｓが介在する位置、および入力端子３２３との間に２つの直列共振子２７Ｓが介在する位置である。なお、直列共振子２７Ｓだけでなく、並列共振子２７Ｐも考慮に入れてよい。また、１つの共振子２７を耐電性の観点から２つに分割しているような場合においては、その２つの分割された共振子２７は、１つと数えられてもよい。
【０１４４】
上記のように複数の共振子２７の接続関係に基づいてインダクタ３６７の位置を考えたときに、インダクタ３６７Ａと３６７Ｂとは、電気的に互いに対称となる位置に設けられているということができる。インダクタ３６７Ｃおよび３６７Ｅも同様である。また、インダクタ３６７Ｄは、電気的に対称な接続関係の中央に位置しているということができる。従って、全てのインダクタ３６７は、複数の共振子２７の電気的な接続関係に関して前段広帯域フィルタ３１９の入力側と出力側とに対称に設けられているということができる。
【０１４５】
電気的に互いに対称な位置にあるインダクタ３５７同士は互いに同一のインダクタンスを有している。すなわち、図示の例では、インダクタ３６７Ａおよび３６７Ｂは互いに同等のインダクタンスを有している。インダクタ３６７Ｃおよび３６７Ｅは互いに同等のインダクタンスを有している。なお、同等のインダクタンスといっても、加工精度等に起因するインダクタンスの差、および／または受信装置３０１に要求される仕様上許容されるインダクタンスの差が存在してよいことはもちろんである。例えば、０．２ｎＨ未満もしくは０．１ｎＨ、または２つのインダクタンスのうち大きい方の５％未満もしくは２％未満の差が存在してもよい。
【０１４６】
インダクタ３５７の構成及び位置等は適宜なものとされてよい。例えば、インダクタ３５７は、圧電基板３１に設けられた導体層によって構成されてよい。また、例えば、圧電基板３１の上面を封止するカバーが設けられている場合には、このカバーに設けられた導体によってインダクタ３５７が構成されてもよい。また、例えば、インダクタ３５７を構成するチップ型部品が圧電基板３１またはカバーに実装されてもよい。
【０１４７】
図１２は、受信装置３０１の電気的特性を示す模式図である。この図において、横軸は周波数ｆ（ＭＨｚ）を示している。左側の縦軸は、透過特性Ｓ２１（ｄＢ）を示している。線Ｌｎ１は、前段フィルタデバイス３１３における周波数と透過特性との関係を示している。
【０１４８】
この図において、通過帯域Ｂ１１は、前段広帯域フィルタ３１９の通過帯域を示している。既述のように、通過帯域Ｂ１１は、通過帯域Ｂ１〜Ｂ３を包含している。なお、この図は、模式図であることから、通過帯域Ｂ１の左側の境界と通過帯域Ｂ１１の左側の境界とが一致しているが、実際には両者はずれていてよい。通過帯域Ｂ１１の右側の境界についても同様である。また、実際には、通過帯域Ｂ１１とＢ４との間等において線Ｌｎ１に波形が現れていてよい。
【０１４９】
前段広帯域フィルタ３１９が複数の前段フィルタ１９を統合したものであることは、適宜に特定することが可能である。例えば、受信装置３０１の仕様書またはパンフレットに基づいて、受信装置３０１が対象としている通過帯域（例えば通過帯域Ｂ１〜Ｂ４）を特定し、そのうちの２以上の通過帯域（ここではＢ１〜Ｂ３）に対して１つのフィルタが対応しているか否かによって、統合されたフィルタが存在するか否かが判定されてよい。
【０１５０】
また、比帯域幅に基づいて、前段広帯域フィルタ３１９が複数の前段フィルタ１９を統合したものであることが特定されてよい。
【０１５１】
比帯域幅は、通過帯域の幅を通過帯域の中心周波数で割ったものであり、その単位は例えば％とされてよい。例えば、通過帯域Ｂ１、Ｂ２、Ｂ３、Ｂ４およびＢ１１において、その幅をＢ１、Ｂ２、Ｂ３、Ｂ４およびＢ１１とし、その中心周波数をｆ０１、ｆ０２、ｆ０３、ｆ０４およびｆ０１１とする。このとき、通過帯域Ｂ１、Ｂ２、Ｂ３、Ｂ４およびＢ１１の比帯域幅は、Ｂ１／ｆ０１×１００（％）、Ｂ２／ｆ０２×１００（％）、Ｂ３／ｆ０３×１００（％）、Ｂ４／ｆ０４×１００（％）およびＢ１１／ｆ０１１×１００（％）である。
【０１５２】
通過帯域Ｂ１〜Ｂ４それぞれの比帯域幅は、例えば、５％未満である。一方、通過帯域Ｂ１１の比帯域幅は、例えば、５％以上または１０％以上である。このような比帯域幅となる周波数の一例を挙げる。通過帯域Ｂ１〜Ｂ３それぞれにおいて、中心周波数は１１００ＭＨｚ以上１３００ＭＨｚ以下であり、幅は５０ＭＨｚ以下である。通過帯域Ｂ４において、中心周波数は１５００ＭＨｚ以上１６００ＭＨｚ以下であり、幅は７０ＭＨｚ以下である。通過帯域Ｂ１１において、中心周波数は、１１５０ＭＨｚ以上１２５０ＭＨｚ以下であり、幅は６０ＭＨｚ以上、１００ＭＨｚ以上または１２０ＭＨｚ以上である。
【０１５３】
ここまで、前段フィルタデバイス３１３におけるフィルタの統合について述べたが、後段フィルタデバイス３１７についても同様である。すなわち、上述の説明において、前段フィルタデバイス３１３、第１前段フィルタ１９Ａ〜第４前段フィルタ１９Ｄおよび前段広帯域フィルタ３１９は、後段フィルタデバイス３１７、第１後段フィルタ２１Ａ〜第４後段フィルタ２１Ｄおよび後段広帯域フィルタ３２１に置き換えられてよい。
【０１５４】
（多周波アンテナ）
既述のようにアンテナ３０３は、複数の通過帯域に対応する多周波アンテナによって構成されている。例えば、アンテナ３０３は、ＶＳＷＲが所定の閾値Ｒｔ以下となる周波数帯を２以上有している。閾値Ｒｔは、例えば、一般的に要求される仕様に照らして３．０とされてよい。なお、閾値Ｒｔは、２．０、１．８または１．５等とされても構わない。
【０１５５】
図１２において、右側の縦軸は、ＶＳＷＲを示している。線Ｌｎ３は、アンテナ３０３における周波数とＶＳＷＲとの関係を示している。
【０１５６】
アンテナ３０３において、ＶＳＷＲは、例えば、通過帯域Ｂ１〜Ｂ４のそれぞれにおいて３．０以下となっている。従って、アンテナ３０３と前段広帯域フィルタ３１９（および／または後段広帯域フィルタ３２１）との組み合わせは、通過帯域Ｂ１〜Ｂ４のそれぞれを通過帯域とするフィルタのように機能することになる。
【０１５７】
なお、図１２では、ＶＳＷＲが閾値Ｒｔ（３．０）以下となる周波数帯は、通過帯域Ｂ１〜Ｂ４それぞれに対して設定されている。ただし、１つの周波数帯は、通過帯域Ｂ１〜Ｂ３（またはＢ１〜Ｂ４）の２つ以上（ただし総数未満）に対して設定されてもよい。すなわち、アンテナ３０３の周波数帯の数は、通過帯域Ｂ１〜Ｂ３（またはＢ１〜Ｂ４）の数よりも少なくてもよい。
【０１５８】
また、図１２では、閾値Ｒｔ以下となる周波数帯それぞれの境界（別の観点では幅）と、当該周波数帯と重なる通過帯域Ｂ１〜Ｂ４それぞれの境界とが一致している。実際には、両者はずれていても構わない。従って、例えば、通過帯域Ｂ１１が、アンテナ３０３においてＶＳＷＲが閾値Ｒｔ以下となる複数の周波数帯の２つ以上に重複する帯域幅を有しているという場合、通過帯域Ｂ１１の少なくとも一部と、ＶＳＷＲが閾値Ｒｔ以下となる２つ以上の周波数帯それぞれの少なくとも一部とが重なっている態様も含む。例えば、帯域幅の５０％以上同士または８０％以上同士が重なってよい。
【０１５９】
なお、複数の通過帯域に対応する多周波アンテナによって構成されているアンテナ３０３は、例えば、ＶＳＷＲが所定の閾値Ｒｔ以下となる周波数帯を１以上有している。閾値Ｒｔは、例えば、一般的に要求される仕様に照らして３．０とされてよい。なお、閾値Ｒｔは、２．０、１．８または１．５等としてもよい。そして、ＶＳＷＲが所定の閾値Ｒｔ以下となる周波数帯の１つの帯域内にすべての通過帯域が包含されていてもよい。
【０１６０】
多周波アンテナ３０３は、公知の種々の構成によって実現されてよい。以下では、その一例を示す。
【０１６１】
図１３は、アンテナ３０３を含むアンテナモジュール３０２の要部構成を示す模式的な斜視図である。
【０１６２】
アンテナモジュール３０２は、アンテナ３０３と、受信モジュール３０５とを含むものである（図１０も参照）。アンテナモジュール３０２は、例えば、概して言えば、回路基板３６８に各種の電子部品が実装されて構成されている。
【０１６３】
回路基板３６８は、単層基板、両面基板または多層基板（図示の例では両面基板または多層基板）とされてよい。回路基板３６８は、絶縁基板３６９と、絶縁基板３６９に配置された各種の導体（３７１、３０２ｇ、３０２ｓ等）とを有している。絶縁基板３６９は、例えば、セラミックまたは樹脂等の絶縁層を積層することによって構成されている。各種の導体は、絶縁層に重なる導体層および／または絶縁層を貫通するビア導体を含む。
【０１６４】
アンテナモジュール３０２は、例えば、アンテナ３０３によって受信した信号を、受信モジュール３０５を介して出力するための出力端子３０２ｓと、基準電位が付与される基準電位端子３０２ｇと、を有している。これらの端子は、例えば、絶縁基板３６９上に位置する導体層によって構成されている。また、これらの端子は、例えば、アンテナモジュール３０２およびＲＦ−ＩＣ７が実装される不図示の回路基板を介してＲＦ−ＩＣ７に接続される。
【０１６５】
アンテナ３０３は、例えば、絶縁基板３６９と、絶縁基板３６９に設けられたアンテナ導体３７１および不図示の地板とを有している。アンテナ導体３７１および地板は、絶縁基板３６９の主面または内部に設けられた導体層によって構成されており、絶縁基板３６９の絶縁層を介して互いに対向している。アンテナ導体３７１は、受信モジュール３０５等を介して出力端子３０２ｓに接続される（信号線に接続される。）。地板は、基準電位端子３０２ｇに接続される（基準電位が付与される。）。アンテナ導体３７１は、例えば、信号線に対する接続位置からの長さが互いに異なる４本のストリップ３７１ａ（受信モジュール３０５側の一部は共用されている。）を有している。４本のストリップ３７１ａの長さは、４つの通過帯域Ｂ１〜Ｂ４の電波の実効波長の１／４程度とされている。これにより、多周波アンテナが実現されている。
【０１６６】
受信モジュール３０５は、例えば、回路基板３６８と、回路基板３６８に実装されている各種の電子部品（チップ型部品）とを有している。各種の電子部品は、例えば、前段増幅器１１、前段フィルタデバイス３１３、後段増幅器１５および後段フィルタデバイス３１７である。これらは、例えば、回路基板３６８の配線（符号省略）によって、アンテナ導体３７１と出力端子３０２ｓとの間で直列に接続されている。
【０１６７】
なお、図１３に示す構成は、第３実施形態だけでなく、他の実施形態に適用されてもよい。
【０１６８】
以上のとおり、本実施形態においても、前段フィルタデバイス３１３（別の観点では受信モジュール３０５）は、共通端子（例えば入力端子３２３。別の観点では前段増幅器１１の出力端子１１ｂ）から見て互いに分岐しており、互いに異なる複数の通過帯域Ｂ４およびＢ１１（またはＢ１〜Ｂ３）に対応している複数のフィルタ（前段広帯域フィルタ３１９および第４前段フィルタ１９Ｄ）を有している。入力端子３２３から複数のフィルタ側を見たインピーダンスは、通過帯域Ｂ４における値と通過帯域Ｂ１１における値とが異なっている。
【０１６９】
従って、第１実施形態と同様の効果が奏される。例えば、前段フィルタデバイス３１３よりも前段の素子（本実施形態では前段増幅器１１）にとって好ましい後段側のインピーダンスが周波数によって異なる場合に、各通過帯域におけるインピーダンスを前段の素子にとって好ましい値にすることができる。
【０１７０】
また、本実施形態では、前段フィルタデバイス３１３は、複数のフィルタ（３１９および１９Ｄ）に対して第１共通端子（例えば入力端子３２３）とは反対側に接続されている第２共通端子（例えば出力端子３２５）をさらに有している。別の観点では、受信モジュール３０５は、複数のフィルタに対してその出力側に入力端子１５ａが接続されている後段増幅器１５を有している。
【０１７１】
この場合、例えば、後段増幅器１５の数を減らして受信モジュールの小型化を図ることができる。なお、第１実施形態のように、インピーダンスの水準が異なるもの同士で出力端子２５を分けた場合においては、例えば、出力端子２５側から前段側を見たインピーダンスの調整が容易である。
【０１７２】
また、本実施形態では、通過帯域Ｂ４および通過帯域Ｂ１１の少なくとも一方（本実施形態では通過帯域Ｂ１１）は、比帯域幅が５％以上または１０％以上である。
【０１７３】
この場合、換言すれば、複数のフィルタ（第１実施形態の第１前段フィルタ１９Ａ〜第３前段フィルタ１９Ｃ）が前段広帯域フィルタ３１９に統合されているということである。このようにフィルタを統合することによって、前段フィルタデバイス３１３が含むフィルタの数を減らすことができる。その結果、例えば、前段フィルタデバイス３１３を小型化することができる。インピーダンスを同一水準とすべき（もしくは同一水準にしてよい）通過帯域Ｂ１〜Ｂ３に対応するフィルタを統合しているから、インピーダンスの調整も容易化される。
【０１７４】
また、本実施形態では、前段整合回路３５１は、前段増幅器１１の出力端子１１ｂと基準電位部１０１との間に互いに並列に接続されているインダクタ３５７およびキャパシタ３５９を有している。
【０１７５】
この場合、例えば、既に述べたように、通過帯域毎にインピーダンスを調整することが容易化され、ひいては、図５（ａ）〜図８（ｄ）を参照して説明したインピーダンスを実現することが容易化される。当該効果は、本実施形態のように、後段増幅器１５を１つにした場合、および／または複数のフィルタを統合した広帯域フィルタを用いた場合に有効である。なお、通常、整合回路は、インピーダンスを所定値にすることに利用されるが、本実施形態のように通過帯域間でインピーダンスを異ならせるために利用されることはない。
【０１７６】
また、本実施形態では、前段広帯域フィルタ３１９は、ラダー型に接続されている複数の共振子２７を有している。受信モジュール３０５は、前段広帯域フィルタ３１９の複数の共振子２７の少なくとも１つに並列接続されているインダクタ３６７を有している。この場合、例えば、前段広帯域フィルタ３１９の広帯域化が容易化される。その結果、例えば、比帯域幅が５％以上または１０％以上のフィルタの実現が容易化される。
【０１７７】
また、本実施形態では、受信モジュール３０５は、複数の共振子２７同士の接続関係に対して電気的に対称な位置に複数のインダクタ３６７を有している。電気的に互いに対称な位置のインダクタ３６７同士は互いに同等のインダクタンスを有している。この場合、例えば、所望の通過帯域が得られるインダクタンスの解を得ることが容易である。
【０１７８】
また、本実施形態では、アンテナ３０３は、当該アンテナ３０３の出力側から見た電圧定在波比（ＶＳＷＲ）が３．０以下となる周波数帯を複数有している。通過帯域Ｂ１および通過帯域Ｂ１１の少なくとも一方（本実施形態では通過帯域Ｂ１１）は、アンテナ３０３の複数の周波数帯の２つ以上（本実施形態では３つ）に重複する帯域幅を有している。
【０１７９】
この場合、換言すれば、複数のフィルタ（第１前段フィルタ１９Ａ〜第３前段フィルタ１９Ｃ）が前段広帯域フィルタ３１９に統合されているということである。このようにフィルタを統合することについての効果については既に述べた。また、アンテナ３０３と前段広帯域フィルタ３１９との全体でフィルタのように機能することから、構成を簡素化できる。
【０１８０】
［第４実施形態］
図１４は、第４実施形態に係る受信装置の一部の構成を示す模式図である。より具体的には、受信装置のうち、前段フィルタデバイス４１３を含む前段フィルタ構成部４１２が示されている。
【０１８１】
第３実施形態では、前段広帯域フィルタ３１９を広帯域化するためのインダクタ３６７は、前段フィルタデバイス３１３が有していた。一方、本実施形態では、広帯域化のためのインダクタ３６７の一部（全部でもよい）が前段フィルタデバイス４１３の外部に設けられている。具体的には、例えば、前段フィルタデバイス４１３は、第３実施形態の前段フィルタデバイス３１３から、インダクタ３６７Ａ、３６７Ｂ、３６７Ｃおよび３６７Ｅを無くした構成である。そして、インダクタ３６７Ａ、３６７Ｂ、３６７Ｃおよび３６７Ｅは、前段フィルタデバイス４１３の外部に設けられている。例えば、これらのインダクタは、図１３に示した回路基板３６８に実装されている。
【０１８２】
なお、図１４では、前段フィルタデバイスに関してのみ図示したが、後段フィルタデバイスについても同様に、後段フィルタデバイスの外部に広帯域化用のインダクタが設けられてよい。この際、後段フィルタ構成部は、前段フィルタ構成部４１２と同様の構成とされてよい。第３および第４実施形態は、広帯域化用のインダクタの配置等に差異があるが、受信モジュールが広帯域化用のインダクタを有していることについて相違はない。実施形態の説明では、便宜上、前段フィルタデバイス４１３と、インダクタ３６７Ａ、３６７Ｂ、３６７Ｃおよび３６７Ｅとの組み合わせを前段フィルタ構成部４１２と呼称しているが、前段フィルタ構成部４１２はフィルタデバイスと捉えられてもよい。
【０１８３】
本開示に係る技術は、以上の実施形態に限定されず、種々の態様で実施されてよい。
【０１８４】
例えば、フィルタは、ラダー型共振子フィルタに限定されない。例えば、ＩＤＴ電極が弾性波の伝搬方向に配列された多重モード型弾性波フィルタであってもよい。ラダー型共振子フィルタ等のフィルタを構成する共振子は、ＩＤＴ電極を励振電極とするものに限定されず、例えば、圧電薄膜共振子であってもよい。弾性波は、ＳＡＷに限定されず、例えば、バルク波または弾性境界波（ただしＳＡＷの一種と捉えられてよい。）であってもよい。
【０１８５】
受信装置は、送受信機能を有する通信装置の一部であってもよい。受信モジュールについても同様である。受信モジュールは、２段のフィルタデバイスを有さず、前段フィルタデバイスのみを有していてもよい。後段増幅器は、複数の前段フィルタの全てに対して個別に設けられていてもよいし、逆に、第３実施形態で示したように１つのみ設けられていてもよい。
【０１８６】
第１および第２実施形態では、前段フィルタデバイス１３は、共通端子２３に入力された信号を複数の前段フィルタ１９によってフィルタリングするものであった。ただし、フィルタデバイスは、複数のフィルタによってフィルタリングした信号を共通端子から出力するものであってもよい。この場合であっても、例えば、共通端子から出力される信号が入力される後段の素子にとって、好ましいインピーダンスの値が通過帯域毎に異なる場合に、共通端子から複数のフィルタ側を見たインピーダンスの値を互いに異ならせることによって、適切にインピーダンスの値を設定することができる。
【符号の説明】
【０１８７】
１…受信装置、５…受信モジュール、１３…前段フィルタデバイス（フィルタデバイス）、１９…前段フィルタ、２３…（第１）共通端子、Ｂ１〜Ｂ４…通過帯域。
【図１】
2019030009.tif 000003
【図２】
2019030009.tif 000004
【図３】
2019030009.tif 000005
【図４】
2019030009.tif 000006
【図５】
2019030009.tif 000007
【図６】
2019030009.tif 000008
【図７】
2019030009.tif 000009
【図８】
2019030009.tif 000010
【図９】
2019030009.tif 000011
【図１０】
2019030009.tif 000012
【図１１】
2019030009.tif 000013
【図１２】
2019030009.tif 000014
【図１３】
2019030009.tif 000015
【図１４】
2019030009.tif 000016